(57)【要約】【課題】軽量で移動が容易でありながら確実に固定できる看板（シャッタープレートサイン）の提供を目的とする。【解決手段】昇降するシャッターの下端部材に押え固定される支持部材と、広告・表示するための表示部材とを備え、支持部材は前端側に表示部材を立設するための立設部を有し、後端側にシャッターの下端部材の屋内側に位置し、且つ、上方に向けて突出した後立部を有し、表示部材はシャッターの屋外側に位置し、且つ、前記支持部材の立設部に立設してあり、シャッターが上昇している状態では自立していることを特徴とする。【選択図】  図１
2011257505.tif 000002
【特許請求の範囲】
【請求項１】
昇降するシャッターの下端部材に押え固定される支持部材と、広告・表示するための表示部材とを備え、
支持部材は前端側に表示部材を立設するための立設部を有し、後端側にシャッターの下端部材の屋内側に位置し、且つ、上方に向けて突出した後立部を有し、
表示部材はシャッターの屋外側に位置し、且つ、前記支持部材の立設部に立設してあり、シャッターが上昇している状態では自立していることを特徴とする看板。
【請求項２】
前記支持部材の立設部は、溝部を有し、当該溝部に表示部材の下端部を挟持してあることを特徴とする請求項１記載の看板。
【請求項３】
前記支持部材は、アルミ押出形材で製作してあることを特徴とする請求項１又は２記載の看板。
【発明の詳細な説明】
【技術分野】
【０００１】
本発明は、店舗等に設けられたシャッターの前面側に表示する看板に関し、特にシャッターにて押え固定可能な自立型看板（シャッタープレートサイン）に関する。
【背景技術】
【０００２】
店舗等においては閉店時にシャッターを閉じるタイプのものが多い。
このようなタイプの店舗等にあっては、開店時にシャッターを上昇させることで店頭を開放し、閉店時にシャッターを降下させることで店頭を塞ぐことになる。
営業が中止され、いわゆる空店舗となった場合には、貸店舗、売店舗等の表示をし、次の入店者を募ることが広く行われている。
このような場合に、従来はプレート状の看板を店頭に吊り下げたり、シャッター前に立てかけたりしていたが、強風等にて看板が安定しない問題があり、逆に看板を店頭にボルトや針金等で固定すると取り外すのが大変となる。
また、シャッターの前面にペイント表示されているケースもあるが、その場合に入居者が決定するとペイント表示を消す作業が必要となる。
【０００３】
特許文献１には、重しで固定するＬ形看板を開示するが強風に耐えるには大きな重量の重しが必要となり移動させる場合には大きな労力を必要とし、また、広い設置スペースが要求される。
【先行技術文献】
【特許文献】
【０００４】
【特許文献１】実用新案登録第３０７８５２８号公報
【発明の概要】
【発明が解決しようとする課題】
【０００５】
本発明は、軽量で移動が容易でありながら確実に固定できる看板（シャッタープレートサイン）の提供を目的とする。
【課題を解決するための手段】
【０００６】
本発明に係る看板は、昇降するシャッターの下端部材に押え固定される支持部材と、広告・表示するための表示部材とを備え、支持部材は前端側に表示部材を立設するための立設部を有し、後端側にシャッターの下端部材の屋内側に位置し、且つ、上方に向けて突出した後立部を有し、表示部材はシャッターの屋外側に位置し、且つ、前記支持部材の立設部に立設してあり、シャッターが上昇している状態では自立していることを特徴とする。
【０００７】
ここで、前記支持部材の立設部は、溝部を有し、当該溝部に表示部材の下端部を挟持してあってもよい。
このような支持部材はアルミ押出形材で製作するのが安価であり軽い。
なお、支持部材はシャッターが上昇した状態で自立できるものであれば、その形状を問わない。
また、表示部材はプレート状であれば材質に限定がなく、樹脂板でも金属板でもよいが軽量化の観点からは樹脂板が好ましい。
【発明の効果】
【０００８】
本発明に係る看板にあっては、シャッターが上昇し開口している状態では自立しているので据え付けが容易であり、シャッターが降下するとシャッターの下端部材にて看板の支持部材が押え固定されるので、強風で転倒する恐れがないために表示部を大きく採ることができる。
特に、看板の支持部材の後端側に上方に突出した後立部を有するので、この後立部がシャッターの下端部材から抜き出るのを干渉し、防止する効果を有し、確実に固定される。
【図面の簡単な説明】
【０００９】
【図１】本発明に係る看板をシャッターの下端部材で固定した状態の断面図を示す。
【図２】支持部材の拡大図を示す。
【図３】シャッターの降下により看板を固定する説明図であり、（ａ）はシャッターが降下し始めた状態、（ｂ）はシャッターが降下した状態を示す。
【発明を実施するための形態】
【００１０】
本発明に係る看板の例を以下、図面に基づいて説明する。
図１はシャッター１を降下させ、シャッター１の下端部材１ａにて看板１００を押えることで固定した状態の断面図を示す。
看板１００は、支持部材１０とサイン・広告となる表示部材２０から構成されている。
支持部材１０の拡大図を図２に示す。
支持部材１０はアルミ押出形材で製作してあり、下面が平坦なベース部１１の前端側（屋外側）に立設部１２を有し、後端側（屋内側）にベース部から立設した突片状の後立部１３を有する。
立設部１２と後立部１３との間が断面視、凹部形状になっていて、その幅寸法Ｗ１はシャッター１の下端部材１ａの幅Ｗ０よりも若干大きくなっている。
後立部１３の突片状の高さＨは、シャッター１の下端部材１ａに引っかかる程度の寸法であれば形状等に制限はない。
後立部１３が、この下端部材１ａに干渉することで看板が屋外側に抜け出るのを防止している。
【００１１】
立設部１２は、支持部材１０に表示部材２０をシャッター１の前面（屋外側）に立設するのが目的であり、ビス止め構造を採用してもよいが本実施例では、立片１２ａと１２ｂとで挟持用の溝部を形成し、この溝部の間に表示部材２０の下端部を差し込む構造を採用した例になっている。
より具体的には、樹脂製の板状の表示部材２０の表面側２０ａ又は裏面側２０ｂの一方に両面テープを貼り付けることで立設部１２の溝部に固定した例になっていて、例えば、裏面側にスペーサー１２ｄを設け、表面側に両面テープ１２ｃを貼付してある。
なお、スペーサー部分にコーキング剤を塗布してもよい。
【００１２】
本発明に係る看板にあっては、図３に示すようにシャッターを上昇させた状態で、その直下に看板１００を置く。
この状態では、支持部材１０により表示部材２０が自立している。
図３（ｂ）に示すようにシャッター１を降下させるとシャッター１の下端部材１ａで支持部材１０を押え込むようにして固定するので、強風が吹いても看板が転倒することがない。
よって、表示部材２０の表示面積を大きくすることができるとともに、従来例のような重しが不要であるから軽い。
さらには、シャッター１が仮に完全に下まで降下していなくても後立部１３を有するので、シャッターの下から抜け出すのを防止する。
【符号の説明】
【００１３】
１        シャッター
１ａ      下端部材
１０      支持部材
１１      ベース部
１２      立設部
１３      後立部
２０      表示部材
１００    看板
【図１】
2011257505.tif 000003
【図２】
2011257505.tif 000004
【図３】
2011257505.tif 000005